(57)【要約】【課題】  布団の係止用帯体に片手で簡単に係止できる係合部を備えた布団カバーを市販に提供する。【解決手段】  布団の縁部に設けられた係止用帯体に、前記布団を覆う布団カバーに内側に前記係止用帯体に対向した位置に設けられた係合部を係合することにより、布団カバーのずれを防止する布団カバーにおいて、上記係合部は、布団カバーに帯体をループ状に縫着した係止用帯体とフック体を有し、該フック体はさらにアルミニウム製で、C状に湾曲させて開口部が形成され、該開口部を閉鎖する方向にバネを付勢した開閉部材を備えた布団側フック部及び、該布団側フック部の後部に湾曲部を延設して、該湾曲部の端部を前記布団側フック部に近づけて開口部を形成した布団カバー側フック部からなり、布団カバー側フック部の開口部を通して、布団カバー側の係止帯体を前記布団カバー側フックに脱着自在に係合なさしめる。【選択図】      図３
0003132868.tif 000002
【実用新案登録請求の範囲】
【請求項１】
布団の縁部に設けられた係止用帯体に、前記布団を覆う布団カバーに内側に前記係止用帯体に対向した位置に設けられた係合部を係合することにより、布団カバーのずれを防止する布団カバーにおいて、上記係合部は、布団カバーに帯体をループ状に縫着した係止用帯体とフック体を有し、該フック体はさらにアルミニウム製で、C状に湾曲させて開口部が形成され、該開口部を閉鎖する方向にバネを付勢した開閉部材を備えた布団側フック部及び、該布団側フック部の後部に湾曲部を延設して、該湾曲部の端部を前記布団側フック部に近づけて開口部を形成した布団カバー側フック部からなり、布団カバー側フック部の開口部を通して、布団カバー側の係止帯体を前記布団カバー側フックに脱着自在に係合なさしめることを特徴とする布団カバー。
【請求項２】
布団カバーの上側の生地の長手方向の左右の側縁からそれぞれ巾寸法が５cm〜６cm内側へ、側縁と平行に長手方向に亘って布団挿入用開口部が設けられ、該布団挿入用開口部に両方向に開閉自在なファスナーを取付けたことを特徴とする請求項１記載の布団カバー。
【請求項３】
布団カバーの上側の生地の四隅に開口部が設けられ、該開口部を覆うように被覆布が設けられ、該被覆布をめくり上記開口部から係合作業を可能となしたことを特徴とする請求項１記載の布団カバー。
【考案の詳細な説明】
【技術分野】
【０００１】
本考案は、布団カバーに関する。
【背景技術】
【０００２】
布団を覆う布団カバーにおいて、布団カバー内で布団がずれないように、通常、布団の四隅に設けられた係止用帯体とそれに対応した布団カバーの四隅に設けた紐を結んで固定しているが、紐を結んだり解いたりするのに、手間がかかるため、帯状物に面ファスナーや押圧ボタンを備えてなる係止具が示されている（特許文献１、特許文献２参照）。
しかし、上記に示す係止具は、布団の係止用帯体に取り付けるのに片手では難しく、繰り返し洗濯をすることにより、帯状物が痛んでくるという問題がある。
【特許文献１】登録実用新案第３０１５５９５号公報
【特許文献２】登録実用新案第３１０７９９６号公報
【考案の開示】
【考案が解決しようとする課題】
【０００３】
本考案は、かかる問題点を解決するものであって、布団の係止用帯体に片手で簡単に係止できる係合部を備えた布団カバーを市販に提供しようとするものである。
【課題を解決するための手段】
【０００４】
本考案に係る布団カバーは、布団の縁部に設けられた係止用帯体に、前記布団を覆う布団カバーに内側に前記係止用帯体に対向した位置に設けられた係合部を係合することにより、布団カバーのずれを防止する布団カバーにおいて、上記係合部は、布団カバーに帯体をループ状に縫着した係止用帯体とフック体を有し、該フック体はさらにアルミニウム製で、C状に湾曲させて開口部が形成され、該開口部を閉鎖する方向にバネを付勢した開閉部材を備えた布団側フック部及び、該布団側フック部の後部に湾曲部を延設して、該湾曲部の端部を前記布団側フック部に近づけて開口部を形成した布団カバー側フック部からなり、布団カバー側フック部の開口部を通して、布団カバー側の係止帯体を前記布団カバー側フックに脱着自在に係合なさしめることを特徴とする。また、布団カバーの上側の生地の長手方向の左右の側縁からそれぞれ巾寸法が５cm〜６cm内側へ、側縁と平行に長手方向に亘って布団挿入用開口部が設けられ、該布団挿入用開口部に両方向に開閉自在なファスナーを取付けたり、布団カバーの上側の生地の四隅に開口部が設けられ、該開口部を覆うように被覆布が設けられたりする。
【考案の効果】
【０００５】
本考案は以上の通り構成するものであって、上記係合部は、布団カバーに帯体をループ状に縫着した係止用帯体と該係止用帯体に脱着自在に係合するフック体からなることにより、フック体を布団カバーから外すことができ、洗濯の際、フック体で洗濯機を傷めることなく、係合部が洗濯により痛むこともないのである。また、布団側フック部はアルミニウム製で、C状に湾曲させて開口部が形成され、該開口部を閉鎖する方向にバネを付勢した開閉部材を備えているため、片手で開閉部材を回動して、布団側フック部を開き布団の係止用帯体に係合することが簡単にできるのである。さらに、布団カバーの上側の生地の長手方向の左右の側縁からそれぞれ巾寸法が５cm〜６cm内側へ、側縁と平行に長手方向に亘って布団挿入用開口部が設けられたものや、布団カバーの上側の生地の四隅に開口部が設けられ、該開口部を覆うように被覆布が設けられたものでは、係合部付近を開口させて、係合作業を容易にすることができるのである。
【考案を実施するための最良の形態】
【０００６】
以下、図面に示す実施の形態について説明する。 
図１は本考案に係る布団カバーの斜視図、図２はフック体を布団の係止用帯体に係止させる前の状態を示す説明図、図３はフック体を布団の係止用帯体に係止させた状態を示す説明図、図４はフック体を布団カバーから外した状態の説明図、図５はファスナー部分の拡大説明図である。本考案に係る布団カバー１は、上側の生地２と下側の生地３の側縁を縫製して袋体になしてある。
【０００７】
布団カバー１に挿入する布団２０には、四隅部分、或は四隅部分の他に長手方向の側部の中間部分に布団カバーのずれを防ぐための係止用帯体２１が設けられている。該係止用帯体２１は帯体の両端を布団に縫着して形成されている。上記係止用帯体２１に対向する布団カバー１の袋体の内部には、上記係止用帯体２１に係合する係合部４が備えられている。
【０００８】
該係合部４は、布団カバー１に帯体をループ状に縫着した係止用帯体５と該係止用帯体５に脱着自在に係合するフック体６からなる。該フック体６はアルミニウム製で、布団の係止用帯体に係合する布団側フック部７、及び布団カバーの係止用帯体に係合する布団カバー側フック部８からなる。即ち、上記布団側フック部７はC状に湾曲させて開口部が形成され、該開口部を閉鎖する方向にバネを付勢した開閉部材９を備えている。そして、上記布団カバー側フック部８は前記布団側フック部７の後部に湾曲部を延設して、該湾曲部の端部を前記布団側フック部７に近づけて開口部を形成している。すなわち、この近づけた部分が外れ止め部１５として機能し、布団カバー側の帯体５が自然に離脱するのを防止する。
【０００９】
使用の際、フック体６を係止用帯体５に係合した状態で、図２及び図３に示す如く、フック体６の開閉部材９を回動して、布団側フック部７を開き、布団２０の係止用帯体２１に係合するのである。洗濯の際には、フック体６を係止用帯体５から外すことができ、フック体６により洗濯機を痛めることもないのである。
【００１０】
また、本図示例では布団カバーの上側の生地２に対し、布団挿入用開口部１０が長手方向の左右の側縁からそれぞれ巾寸法wが５cm〜６cm内側へ、側縁と平行に長手方向に亘って設けられており、両方向へ開閉するファスナー１０が取り付けてある。これにより上記布団カバー１の係合部４を布団２０の係止用帯体２１に係合するとき、係合部４付近をファスナー１０により開口させて、作業を行うことができる。 また、ファスナー１０を上記布団挿入用開口部へ取付けるさいには、図５に示す如く、ファスナー１０の開閉する部分に生地２が被らないように、生地２とファスナー１０を縫い合わせる。これによりファスナーを開閉する際にファスナー１０に生地２が挟まってしまうのを防ぐことができ、片手でもファスナー１０を開閉することができる。
【００１１】
なお、上下２枚の生地を縫製して袋体となした布団カバーにおいて、一つの側縁部に布団挿入用開口部を設けたものや、図６に示す如く上側の生地２’の中央部が大きく開口した布団挿入用開口部１１を有する布団カバー１’についても上記例と同様に係合部４を設けることができる。
【００１２】
図７に示す布団カバー１”は、上下２枚の生地を縫製して袋体となし、一つの側縁を縫合せずに布団挿入用開口部１２が設けられ、該布団挿入用開口部１２にファスナーが取り付けられており、上記例と同様に係合部４が設けられている。さらに、布団カバー１”の四隅に係合作業を外部から操作可能とするために開口部が設けられている。即ち、布団カバーの上側の生地２”の四隅に円弧状に切り欠いた開口部１３を設け、該開口部１３を覆うと共に開口部１３の一部を縫着せずに開放可能に被覆布１４が縫い付けられている。そして、係合作業をする際には被覆布１４をめくることにより、開口部１３を開けて行うのである。
【図面の簡単な説明】
【００１３】
【図１】本考案に係る布団カバーの斜視図である。
【図２】フック体を布団の係止用帯体に係止させる前の状態を示す説明図である。
【図３】フック体を布団の係止用帯体に係止させた状態を示す説明図であるである。
【図４】フック体を布団カバーから外した状態の説明図である。
【図５】ファスナー部分の拡大説明図である。
【図６】他例の布団カバーの斜視図である。
【図７】さらに他例の布団カバーの斜視図である。
【符号の説明】
【００１４】
１、１’、１”  布団カバー
２、２’、２”  上側生地
３  下側生地
４  係合部
５  係止用帯体
６  フック体
７  布団側フック部
８  布団カバー側フック部
９  開閉部材
１０、１１、１２  布団挿入用開口部
１３  開口部
１４  被覆布
１５  外れ止め部
２０  布団
２１  係止用帯体
【図１】
0003132868.tif 000003
【図２】
0003132868.tif 000004
【図３】
0003132868.tif 000005
【図４】
0003132868.tif 000006
【図５】
0003132868.tif 000007
【図６】
0003132868.tif 000008
【図７】
0003132868.tif 000009